(57)【要約】【課題】コンテンツ再生時にどのような特殊効果が付与されるかを再生に先立って知ることができる携帯電話を提供する。【解決手段】携帯電話端末１は、コンテンツの種別を判別するコンテンツ種別判別手段２と、コンテンツの種別を利用者へ通知する通知内容を生成するコンテンツ種別通知情報出力手段３と、通知内容に基づいてコンテンツの種別を利用者に認知可能に提示する提示手段４を有し、再生しようとするコンテンツの種別に対応する特定の画像や音を再生以前に利用者に提示する。【選択図】図１
2007033506.tif 000002
【特許請求の範囲】
【請求項１】
コンテンツ再生時の特殊効果処理を制御する特殊効果処理情報に基づいて、前記特殊効果処理情報の種別を判別してコンテンツ種別情報を出力するコンテンツ種別判別手段と、
前記コンテンツ種別情報に基づいて認知可能な信号に変換可能なコンテンツ種別通知情報を出力するコンテンツ種別通知情報出力手段と、
前記コンテンツ種別通知情報を認知可能に提示する提示手段と、
を具備するコンテンツ情報提示装置。
【請求項２】
請求項１記載のコンテンツ情報提示装置であって、
前記コンテンツを選択するコンテンツ選択手段を具備し、
前記コンテンツ選択手段が前記コンテンツを選択したとき前記提示手段が前記コンテンツ種別通知情報を認知可能に提示することを特徴とするコンテンツ情報提示装置。
【請求項３】
請求項１記載のコンテンツ情報提示装置であって、
前記コンテンツを再生するコンテンツ再生手段の能力を示す再生能力情報を出力する再生能力情報出力手段を具備し、
前記コンテンツ種別通知情報出力手段は前記再生能力情報に基づいて前記コンテンツ種別通知情報を決定することを特徴とするコンテンツ情報提示装置。
【請求項４】
請求項１記載のコンテンツ情報提示装置であって、
前記提示手段の種別を示す提示手段種別情報を出力する提示手段種別情報出力手段を具備し、
前記提示手段は前記コンテンツを再生するコンテンツ再生手段の出力であるコンテンツ再生出力信号を認知可能に提示し、
前記コンテンツ種別通知情報出力手段は前記提示手段種別情報に基づいて前記コンテンツ種別通知情報を決定することを特徴とするコンテンツ情報提示装置。
【請求項５】
請求項１記載のコンテンツ情報提示装置であって、
前記コンテンツまたは前記コンテンツの属性情報が前記特殊効果処理情報の種別を示す特殊効果識別情報を含み、
前記コンテンツ種別判別手段は前記特殊効果識別情報に基づいて前記コンテンツ種別通知情報を出力することを特徴とするコンテンツ情報提示装置。
【請求項６】
請求項１記載のコンテンツ情報提示装置であって、
前記コンテンツ種別通知情報は前記特殊効果処理情報に対応する特殊効果処理を施された信号に変換可能であることを特徴とするコンテンツ情報提示装置。
【請求項７】
請求項６記載のコンテンツ情報提示装置であって、
前記コンテンツ種別通知情報は前記特殊効果処理情報の一部を含むコンテンツであることを特徴とするコンテンツ情報提示装置。
【発明の詳細な説明】
【技術分野】
【０００１】
本発明は映像や音を含むコンテンツの情報を利用者に提示する装置に関する。
【背景技術】
【０００２】
携帯電話端末は近年高機能化してきており、現在では映像や音響コンテンツをネットワークを介してダウンロードして再生する機能を持つ携帯電話端末も普及している。また、コンテンツを単純に再生するだけでなく、再生時の表現力を高めるための工夫も行われている。たとえば再生音に残響やコーラス効果を付与する機能や、三次元音響技術に基づいて音像の定位を制御する機能を持つ携帯電話端末等がこれに相当する。このような特殊効果の付与による表現力向上の提案は今後も続くと考えられ、様々な種類の特殊効果付きコンテンツが利用者に提供されてゆくと思われる。
【０００３】
コンテンツ再生時に特殊効果を付与してコンテンツの表現力を向上する技術はたとえば特許文献１に開示されている。特許文献１に開示された録音再生装置は、楽曲再生時にディレイ等の効果を付与するＤＳＰ（Ｄｉｇｉｔａｌ  Ｓｉｇｎａｌ  Ｐｒｏｃｅｓｓｏｒ）のパラメータを楽曲のタイトル、アーティスト名、ジャンル等と対応させてあらかじめ保持し、再生時にＤＳＰパラメータを設定するものである。この発明によれば、利用者がＤＳＰパラメータを手動調整しなくても最適な特殊効果を自動的に付与することができる。
【０００４】
ＤＳＰを用いることによりコンテンツの表現力が向上し、さまざまなムードを醸し出すコンテンツが利用者に提供することができるようになってきているが、一方で、利用者はその時々の気分に合うコンテンツを数多くの種類のコンテンツの中から探し出す必要がある。選択対象のコンテンツをひとつずつ再生することによって利用者がコンテンツの醸し出すムードを確認してコンテンツを選択する方法は、選択対象が多い場合は効率的ではない。
【０００５】
利用者が装置を利用する際に、利用者が装置の機能を作動させる以前にその機能がどのようなものであるかを視覚的、聴覚的に知ることを可能とするための技術が提案されている。たとえば特許文献２に開示されたメニュー表示装置は、利用者がメニュー項目の選択操作を行ったときに項目の内容に関連する動画や音声を提示する。この発明によれば、利用者が装置の機能をメニューから選択する操作を行うだけで、選択される機能の内容をおおまかに知ることができるので、利用者が利用したい機能を効率よく探し出すことができる。
【特許文献１】特開２００４−８５８９３号公報
【特許文献２】特開２００１−１７５３８４号公報
【発明の開示】
【発明が解決しようとする課題】
【０００６】
しかしながら、特許文献１に開示された方法においては、楽曲にどのような特殊効果が付与されて再生されるのかを利用者が知るためにはその楽曲を実際に再生してみないとわからないため、利用者が複数の楽曲の中から気分に合った特殊効果が付与されて再生される楽曲を手際よく選択することができないという問題があった。
【０００７】
また、特許文献２に開示された方法においては、コンテンツ選択時にコンテンツに付与される特殊効果の情報を提示する方法について開示されておらず、コンテンツを項目選択した際に単に音やアニメーションを提示することが想定されているだけであり、コンテンツごとの特殊効果表現を利用者が直感的に知ることができなかった。
【０００８】
また、特許文献２に開示された方法においては、メニュー項目選択時に提示される動画や音声があらかじめすべてのメニュー項目に対応付けられている必要があるので、ダウンロードやリッピング等の手段によって装置へ随時追加されるようなコンテンツの選択には応用できない。
【０００９】
本発明は、上記従来の課題を解決するものであり、コンテンツがどのような特殊効果を伴って再生されるのかを、そのコンテンツの再生に先立って利用者が知ることができるコンテンツ情報提示装置を提供することを目的とする。
【課題を解決するための手段】
【００１０】
前記従来の課題を解決するために、本発明のコンテンツ情報提示装置は、再生時の特殊効果処理を制御する特殊効果処理情報に基づいて、前記特殊効果処理情報の種別を判別してコンテンツ種別情報を出力するコンテンツ種別判別手段と、前記コンテンツ種別情報に基づいて認知可能な信号に変換可能なコンテンツ種別通知情報を出力するコンテンツ種別通知情報出力手段と、前記コンテンツ種別通知情報を認知可能に提示する提示手段と、を具備する。
【００１１】
上記構成によれば、特殊効果処理情報に基づいてコンテンツ再生時に付与される特殊効果の種別を判別して認知可能に提示するので、利用者はコンテンツがどのような特殊効果を伴って再生されるのかをコンテンツの再生に先立って知ることができる。
【００１２】
また本発明のコンテンツ情報提示装置は、前記コンテンツを選択するコンテンツ選択手段を具備し、前記コンテンツ選択手段が前記コンテンツを選択したとき前記提示手段が前記コンテンツ種別通知情報を認知可能に提示することを特徴とするものである。
【００１３】
上記構成によれば、利用者がコンテンツを選択したときにそのコンテンツの再生時に付与される特殊効果の種別を認知可能に提示するので、利用者はコンテンツがどのような特殊効果を伴って再生されるのかをコンテンツの再生に先立って知ることができる。
【００１４】
また本発明のコンテンツ情報提示装置は、前記コンテンツを再生するコンテンツ再生手段の能力を示す再生能力情報を出力する再生能力情報出力手段を具備し、前記コンテンツ種別通知情報出力手段は前記再生能力情報に基づいて前記コンテンツ種別通知情報を決定することを特徴とするものである。
【００１５】
上記構成によれば、コンテンツ再生手段の能力に基づいて特殊効果の種別の提示内容を決定するため、利用者はコンテンツがどのような特殊効果を伴って再生されるのかをコンテンツの再生に先立ってより正確に知ることができる。
【００１６】
また本発明のコンテンツ情報提示装置は、前記提示手段の種別を示す提示手段種別情報を出力する提示手段種別情報出力手段を具備し、前記提示手段は前記コンテンツを再生するコンテンツ再生手段の出力であるコンテンツ再生出力信号を認知可能に提示し、前記コンテンツ種別通知情報出力手段は前記提示手段種別情報に基づいて前記コンテンツ種別通知情報を決定することを特徴とするものである。
【００１７】
上記構成によれば、コンテンツの再生出力を提示する提示手段の種別に基づいて特殊効果の種別の提示内容を決定するため、利用者はコンテンツがどのような特殊効果を伴って再生されるのかをコンテンツの再生に先立ってより正確に知ることができる。
【００１８】
また本発明のコンテンツ情報提示装置は、前記コンテンツまたは前記コンテンツの属性情報が前記特殊効果処理情報の種別を示す特殊効果識別情報を含み、前記コンテンツ種別判別手段は前記特殊効果識別情報に基づいて前記コンテンツ種別通知情報を出力することを特徴とするものである。
【００１９】
上記構成によれば、コンテンツまたはコンテンツの属性情報に含まれる特殊効果識別情報に基づいて特殊効果の種別を認知可能に提示するので、利用者はコンテンツがどのような特殊効果を伴って再生されるのかをコンテンツの再生に先立って知ることができる。
【００２０】
また本発明のコンテンツ情報提示装置は、前記コンテンツ種別通知情報は前記特殊効果処理情報に対応する特殊効果処理を施された信号に変換可能であることを特徴とするものである。
【００２１】
上記構成によれば、特殊効果の種別を認知可能に提示する際、その種別に対応する特殊効果を施された信号を認知可能に提示するので、利用者はコンテンツがどのような特殊効果を伴って再生されるのかをコンテンツの再生に先立って直感的に知ることができる。
【００２２】
また本発明のコンテンツ情報提示装置は、前記コンテンツ種別通知情報は前記特殊効果処理情報の一部を含むコンテンツであることを特徴とするものである。
【００２３】
上記構成によれば、特殊効果の種別を認知可能に提示する際、その種別に対応する特殊効果を施された信号を認知可能に提示するので、利用者はコンテンツがどのような特殊効果を伴って再生されるのかをコンテンツの再生に先立って直感的に知ることができる。
【発明の効果】
【００２４】
本発明によれば、コンテンツの表示時に、コンテンツの再生時に付与される特殊効果の種別を、特殊効果処理情報に基づいて事前に判別して、特殊効果処理の有無や種類が判明するように認知可能にコンテンツを提示するので、利用者はコンテンツがどのような特殊効果を伴って再生されるのかをコンテンツの再生に先立って知ることができる。
【発明を実施するための最良の形態】
【００２５】
以下本発明を実施するための最良の形態について、図面を参照しながら説明する。なお、実施の形態を説明するための全図において、同一の構成要素には同一符号を付与し、重複する説明は省略する。
【００２６】
（実施の形態１）
図１は、本発明の実施の形態１における携帯電話端末１の概略構成図である。図１において、携帯電話端末１はコンテンツ種別判別手段２、コンテンツ種別通知情報出力手段３、提示手段４、コンテンツ記憶部７を備える。
【００２７】
コンテンツ種別判別手段２は、コンテンツ記憶部７よりコンテンツまたはコンテンツの特殊効果情報を取得し、コンテンツの種類を判別してコンテンツの種別に関する情報であるコンテンツ種別情報２００１を出力する。コンテンツ種別通知情報出力手段３は、コンテンツ種別情報２００１に基づいて画像やアニメーションや音や振動などの認知可能な信号に変換可能なコンテンツ種別通知情報３００１を出力する。提示手段４はコンテンツ種別通知情報３００１を利用者に認知可能に提示する。
【００２８】
図２は、本発明の実施の形態１における携帯電話端末１をさらに詳しく示した構成図である。図２において携帯電話端末１は音楽再生アプリケーション５０１、十字キー５０２、音源モジュール６０１、内蔵メモリー７０１、デバイス制御部４０２、ＬＣＤ（Ｌｉｑｕｉｄ  Ｃｒｙｓｔａｌ  Ｄｉｓｐｌａｙ）４０６、内蔵スピーカー４０７を備える。
【００２９】
図２の内蔵メモリー７０１は図１のコンテンツ記憶部７に相当する。内蔵メモリー７０１は、１または複数のコンテンツからなるコンテンツ１２１１を保持している。内蔵メモリー７０１は音楽再生アプリケーション５０１へコンテンツ１２１１を出力する。内蔵メモリー７０１はＲＡＭ（Ｒａｎｄｏｍ  Ａｃｃｅｓｓ  Ｍｅｍｏｒｙ）やハードディスクなどにより、構成される。
【００３０】
十字キー５０２は、利用者が利用可能なコンテンツを選択する操作入力を受け付ける操作部であり、操作信号５００１を出力する。
【００３１】
音楽再生アプリケーション５０１は、内蔵メモリー７０１が保持するコンテンツ１２１１を選択、再生するためのアプリケーションである。音楽再生アプリケーション５０１は、十字キー５０２が出力する操作信号５００１に基づいて、コンテンツ１２１１の中からコンテンツ１４１１を選択し、音源モジュール６０１に出力する。また音楽再生アプリケーション５０１は、コンテンツ１２１１のうち利用者が利用可能なコンテンツ１３１１をコンテンツ種別判別手段２へ出力する。
【００３２】
音源モジュール６０１は、コンテンツ１４１１の内容を復号して、コンテンツ再生出力信号６００１をデバイス制御部４０２へ出力する。音源モジュール６０１はコンテンツ再生音に三次元音響の特殊効果を与えるＤＳＰ（図示せず）を内蔵している。音源モジュール６０１は、前記ＤＳＰによる信号処理の出力をコンテンツ再生出力信号６００１として出力するよう構成されている。
【００３３】
デバイス制御部４０２は、出力デバイスであるＬＣＤ４０６と内蔵スピーカー４０７を制御する部分である。デバイス制御部４０２は、ＨＴＭＬ（Ｈｙｐｅｒ  Ｔｅｘｔ  Ｍａｒｋｕｐ  Ｌａｎｇｕａｇｅ）を解釈して画像データに変換するブラウザやウインドウ表示ライブラリソフト、サウンドライブラリソフト、デバイスドライバ、グラフィックカード、サウンドカード等により構成される。デバイス制御部４０２は、コンテンツ再生出力信号６００１を受け取り内蔵スピーカー４０７へ出力する。またデバイス制御部４０２は、コンテンツ種別通知情報３００１を受け取りＬＣＤ４０６へ出力することにより、コンテンツ種別通知情報３００１を利用者に認知可能に提示する。
【００３４】
なお、図２のデバイス制御部４０２、ＬＣＤ４０６、内蔵スピーカー４０７が図１における提示手段４を構成する構成要素に相当する。
【００３５】
図３は、本発明の実施の形態１におけるコンテンツ１３１１の例を説明する図である。図３（ａ）は、第１のコンテンツ１３１１ａ（ファイル名「ｃｏｎｔｅｎｔ１．ｄａｔ」）のデータ構造を示す図である。第１のコンテンツ１３１１ａは、領域Ｄ１００１〜Ｄ１００４が保持するヘッダ部と領域Ｄ１１００が保持する演奏データとで構成されている。
【００３６】
領域Ｄ１００１が保持しているファイルの識別子“ｍｉｄｉ”は第１のコンテンツ１３１１ａがＭＩＤＩ（Ｍｕｓｉｃ  Ｉｎｓｔｒｕｍｅｎｔ  Ｄｉｇｉｔａｌ  Ｉｎｔｅｒｆａｃｅ）形式のコンテンツであることを示す。領域Ｄ１００２は第１のコンテンツ１３１１ａのヘッダ部のデータサイズを保持する。領域Ｄ１００３が保持する文字列は、第１のコンテンツのタイトル「楽曲第１番」を、タイトルを表すＸＭＬ（Ｅｘｔｅｎｓｉｂｌｅ  Ｍａｒｋｕｐ  Ｌａｎｇｕａｇｅ）タグ「＜ｔｉｔｌｅ＞」と「＜／ｔｉｔｌｅ＞」で囲ったものである。領域Ｄ１００４が保持する文字列は、第１のコンテンツのアーティスト名「クリエイタＡ」を、アーティスト名を表すＸＭＬタグ「＜ａｒｔｉｓｔ＞」と「＜／ａｒｔｉｓｔ＞」で囲ったものである。
【００３７】
図３（ｂ）は、図３（ａ）における領域Ｄ１１００が保持する演奏データの構造を模式的に示した図である。領域Ｄ１１００が保持する演奏データは、第１のトラック（ｔｒｋ＝１）Ｔ１１０１、第２のトラック（ｔｒｋ＝２）Ｔ１１０２、第３のトラック（ｔｒｋ＝３）Ｔ１１０３の３個のトラックで構成される。さらにトラックＴ１１０１〜Ｔ１１０３は音の鳴動開始を指示するＭＩＤＩメッセージであるＮｏｔｅＯｎメッセージ（Ｄ１１０１）等、複数のＭＩＤＩメッセージで構成される。
【００３８】
図４（ａ）は、第２のコンテンツ１３１１ｂ（ファイル名「ｃｏｎｔｅｎｔ２．ｄａｔ」）のデータ構造を示す図である。第２のコンテンツ１３１１ｂは第１のコンテンツ１３１１ａと異なり、三次元音響の特殊効果を伴って再生されるコンテンツである。第２のコンテンツ１３１１ｂは領域Ｄ２００５に特殊効果処理情報である三次元音響における仮想スピーカーの定義「＜ｖＳｐｋ  ｉｄ＝１  ｔｒｋ＝１／＞」を保持する。この定義は、コンテンツ再生時に第１のトラック（ｔｒｋ＝１）に含まれる演奏音を第１の仮想スピーカー（ｉｄ＝１）から出力するように音源モジュール６０１に指示を出すためのものである。
【００３９】
図４（ｂ）は、図４（ａ）における領域Ｄ２１００が保持する演奏データの構造を模式的に示した図である。領域Ｄ２１００が保持する演奏データは、第１のトラック（ｔｒｋ＝１）Ｔ２１０１、第２のトラック（ｔｒｋ＝２）Ｔ２１０２、第３のトラック（ｔｒｋ＝３）Ｔ２１０３の３個のトラックで構成される。第１のトラック（ｔｒｋ＝１）Ｔ２１０１はＮｏｔｅＯｎメッセージ（Ｄ２１０１）や、コンテンツ再生時に第１の仮想スピーカー（ｉｄ＝１）の音像位置を音源モジュール６０１に指示するための特殊効果処理情報であるＭＩＤＩメッセージ（Ｄ２１０２、Ｄ２１０３）等で構成される。
【００４０】
図５は、本発明の実施の形態１におけるコンテンツ種別判別手段２が音楽再生アプリケーション５０１からコンテンツ１３１１を受け取った際の処理手順を示すフローチャート図である。また図６は、本発明の実施の形態１におけるコンテンツ種別判別手段２が、図３に示す第１のコンテンツ１３１１ａ、図４に示す第２のコンテンツ１３１１ｂを入力としたときに、コンテンツ種別通知情報出力手段３に出力する、コンテンツ種別情報２００１ａの内容を示す図である。コンテンツ種別情報２００１ａは、項目番号（Ｆ１１１、Ｆ１１２）ごとに、コンテンツファイル名（Ｆ１２１、Ｆ１２２）、コンテンツ種別ＩＤ（Ｆ１３１、Ｆ１３２）、コンテンツのタイトル（Ｆ１４１、Ｆ１４２）を格納した表形式のデータである。以下、図２〜図６を用いて実施の形態１におけるコンテンツ種別判別手段２がコンテンツ１３１１ａおよびコンテンツ１３１１ｂを受け取った際の動作を説明する。
【００４１】
まず、コンテンツ種別判別手段２は、最初に第１のコンテンツ１３１１ａ（ファイル名「ｃｏｎｔｅｎｔ１．ｄａｔ」）について処理を実行する。ステップＳ００１の判断は「ＮＯ」であるのでコンテンツ種別判別手段２はステップＳ００２の処理へ進む。ステップＳ００２においてコンテンツ種別判別手段２は、コンテンツ１３１１ａのヘッダ部先頭領域Ｄ１００１に「ｍｉｄｉ」と書かれていることからＭＩＤＩ形式のコンテンツであると認識し、コンテンツ種別ＩＤ「ＭＩＤＩ」を得る。
【００４２】
ステップＳ００３においてコンテンツ種別判別手段２は、コンテンツ１３１１ａのヘッダ部のうち、タグ「＜ｔｉｔｌｅ＞」と「＜／ｔｉｔｌｅ＞」で囲まれている部分Ｄ１００３の内容からタイトル「楽曲第１番」を取得する。
【００４３】
ステップＳ００４においてコンテンツ種別判別手段２は、コンテンツ１３１１ａ内に特殊効果処理情報があるかどうかを調べるが、コンテンツ１３１１ａ内には特殊効果処理情報は含まれていない（ＮＯ）ので、ステップＳ００６の処理へ進む。
【００４４】
ステップＳ００６においてコンテンツ種別判別手段２は、項目番号「１」（Ｆ１１１）、コンテンツファイル名「ｃｏｎｔｅｎｔ１．ｄａｔ」（Ｆ１２１）、ステップＳ００２で得たコンテンツ種別ＩＤ「ＭＩＤＩ」（Ｆ１３１）、ステップＳ００３で取得したタイトル「楽曲第１番」（Ｆ１４１）をコンテンツ種別情報２００１ａに格納する。
【００４５】
コンテンツ種別判別手段２は、第２のコンテンツ１３１１ｂ（ファイル名「ｃｏｎｔｅｎｔ２．ｄａｔ」）についても同様にして処理を実行するが、ステップＳ００４において第２のコンテンツ１３１１ｂの領域Ｄ２００５に特殊効果処理情報である三次元音響における仮想スピーカーの定義「＜ｖＳｐｋ  ｉｄ＝１  ｔｒｋ＝１／＞」が保持されていることから判断は「ＹＥＳ」となり、ステップＳ００５の処理へ進む。
【００４６】
ステップＳ００５においてコンテンツ種別判別手段２は、ステップＳ００２で得たコンテンツ種別ＩＤの替わりに、三次元音響の特殊効果を有するＭＩＤＩ形式のコンテンツを表すコンテンツ種別ＩＤ「ＭＩＤＩ／３Ｄ」を得る。そしてステップＳ００６においてコンテンツ種別判別手段２は、項目番号「２」（Ｆ１１２）、コンテンツファイル名「ｃｏｎｔｅｎｔ２．ｄａｔ」（Ｆ１２２）、ステップＳ００５で得たコンテンツ種別ＩＤ「ＭＩＤＩ／３Ｄ」（Ｆ１３２）、ステップＳ００３で取得したタイトル「楽曲第２番」（Ｆ１４２）をコンテンツ種別情報２００１ａに格納する。
【００４７】
続くステップＳ００１ではコンテンツ種別判別手段２が受け取ったコンテンツ１３１１ａおよび１３１１ｂの処理が終了していることから判断は「ＹＥＳ」となり、コンテンツ種別判別手段２はステップＳ００７の処理へ進む。
【００４８】
ステップＳ００７においてコンテンツ種別判別手段２は、生成したコンテンツ種別情報２００１ａをコンテンツ種別通知情報出力手段３へ出力する。
【００４９】
以上の処理に続いてコンテンツ種別通知情報出力手段３が動作を開始する。次にコンテンツ種別通知情報出力手段３の動作の説明に移る。
【００５０】
図７は、本発明の実施の形態１におけるコンテンツ種別通知情報出力手段３が保持しているコンテンツ種別通知情報テーブルＴ３０１の内容を示す図である。コンテンツ種別通知情報テーブルＴ３０１は、コンテンツ種別ＩＤ（Ｆ２１１、Ｆ２１２）ごとにコンテンツ種別通知情報３００１の元となるコンテンツ種別通知情報テンプレート（Ｆ２２１、Ｆ２２２）を格納した表形式のデータである。コンテンツ種別通知情報テンプレート（Ｆ２２１、Ｆ２２２）中の文字「＄」で囲まれた部分の文字列「＄Ｔｉｔｌｅ＄」は変数を表し、コンテンツ種別通知情報出力手段３がその部分に定数値を埋めるための場所であることを表している。
【００５１】
図８は、本発明の実施の形態１におけるコンテンツ種別通知情報出力手段３の出力であるコンテンツ種別通知情報３００１ａの内容を示す図である。コンテンツ種別通知情報３００１ａは、ＬＣＤ４０６の表示内容を定義するＨＴＭＬ形式のテキストである。以下、図６〜8を用いて本発明の実施の形態１におけるコンテンツ種別通知情報出力手段３の動作を説明する。
【００５２】
コンテンツ種別通知情報出力手段３は、コンテンツ種別情報２００１ａの各行ごとに処理を実行する。最初に項目番号「１」（Ｆ１１１）を先頭とする行（Ｆ１１１、Ｆ１２１、Ｆ１３１、Ｆ１４１）について処理を実行する。まずコンテンツ種別通知情報出力手段３は、コンテンツ種別ＩＤの値（Ｆ１３１）である「ＭＩＤＩ」を第１フィールドとするコンテンツ種別通知情報テーブルＴ３０１の行を探索することにより項目番号「１」（Ｆ１１１）に対応するコンテンツ種別通知情報テンプレートを得る処理を行う。コンテンツ種別通知情報テーブルＴ３０１の第１行（Ｆ２１１、Ｆ２２１）がこれに相当するので、コンテンツ種別通知情報出力手段３はフィールドＦ２２１の内容であるコンテンツ種別通知情報テンプレート「＜ｉｍｇ  ｓｒｃ＝“ｍｉｄｉ．ｇｉｆ”＞＄Ｔｉｔｌｅ＄」を得る。
【００５３】
次に、コンテンツ種別通知情報出力手段３はコンテンツ種別通知情報テンプレート（Ｆ２２１）の変数に値を埋め込む処理を行う。変数「＄Ｔｉｔｌｅ＄」はコンテンツのタイトルを埋め込むことを示しているので、コンテンツ種別通知情報出力手段３はコンテンツ種別情報２００１ａを参照して項目番号「１」（Ｆ１１１）のｔｉｔｌｅフィールド（Ｆ１４１）の値である「楽曲第１番」を当該変数の位置に埋め込んだ上、改行を表すＨＴＭＬ文字列「＜ｂｒ＞」を連結することにより、コンテンツ種別通知情報３００１ａの前半部分となる文字列「＜ｉｍｇ  ｓｒｃ＝“ｍｉｄｉ．ｇｉｆ”＞楽曲第１番＜ｂｒ＞」を生成する。
【００５４】
コンテンツ種別通知情報出力手段３は、項目番号「２」（Ｆ１１２）についても同様にしてコンテンツ種別情報３００１ａの後半部分となる文字列「＜ｉｍｇ  ｓｒｃ＝“ｍｉｄｉ−３ｄ．ｇｉｆ”＞＜ｆｏｎｔ  ｆａｃｅ＝“ＰＯＰ”  ｓｉｚｅ＝“＋１”  ｃｏｌｏｒ＝“ｒｅｄ”＞＜ｂｌｉｎｋ＞楽曲第２番＜／ｂｌｉｎｋ＞＜／ｆｏｎｔ＞＜ｂｒ＞」を生成する。そしてコンテンツ種別通知情報出力３は、生成したコンテンツ種別通知情報３００１ａの前半部分と後半部分とを結合することによりコンテンツ種別通知情報３００１ａを作成する。
【００５５】
コンテンツ種別通知情報出力手段３は、以上に述べた動作によって生成したコンテンツ種別通知情報３００１ａをデバイス制御部４０２へ出力する。これに続いてデバイス制御部４０２が動作してコンテンツ種別通知情報３００１ａをＬＣＤ４０６に表示する。
【００５６】
図９は、本発明の実施の形態１における提示手段４の提示内容を示す図である。デバイス制御部４０２は、コンテンツ種別通知情報３００１ａを受け付け、図９（ａ）および図９（ｂ）に示すコンテンツ一覧をＬＣＤ４０６に表示する。文字列表示Ｇ１２１、Ｇ１２２はそれぞれ第1のコンテンツ１３１１ａ、第２のコンテンツ１３１１ｂのタイトルを示している。アイコンＧ１１１はコンテンツ種別通知情報３００１ａ中に記載されているファイル「ｍｉｄｉ．ｇｉｆ」を可視化したものであり、第１のコンテンツ１３１１ａのコンテンツ種別ＩＤが「ＭＩＤＩ」であることを示している。アイコンＧ１１２はコンテンツ種別通知情報３００１ａ中に記載されているファイル「ｍｉｄｉ−３ｄ．ｇｉｆ」を可視化したものである。アイコンＧ１１２はアニメーション画像であり、図９（ａ）に示す形状と図９（ｂ）に示す形状を交互に提示する。
【００５７】
また、文字列表示Ｇ１２２は、文字列表示１２１と表示サイズ、フォント、色、表示態様、表示位置が異なっており、文字列表示１２１より若干大きな赤色のＰＯＰ体で右方向へずれた位置でブリンク（点滅）表示される。
【００５８】
以上の説明から明らかなように、本発明の実施の形態１における携帯電話端末は、コンテンツに含まれる特殊効果処理情報に基づいてコンテンツ再生時に付与される特殊効果の種別を判別してアニメーションや画像等のアイコンおよび文字列表示で特殊効果の種別を認知可能に提示するので、利用者はコンテンツがどのような特殊効果を伴って再生されるのかをコンテンツの再生に先立って知ることができる。
【００５９】
（実施の形態２）
図１０は、本発明の実施の形態２における携帯電話端末１の概略構成図である。図１０において携帯電話端末１は、本発明の実施の形態１の構成要素（図１）に加えてコンテンツ選択手段５、コンテンツ再生手段６を備える。また、コンテンツ種別通知情報出力手段３は、コンテンツ選択手段５の出力であるコンテンツ選択通知１６０１に基づいてコンテンツ種別通知情報３００１を出力するよう構成されている。さらに、提示手段４はコンテンツ種別通知情報３００１の一部を認知可能に提示するためのコンテンツである通知用コンテンツ１５１１をコンテンツ再生手段６へ出力するよう構成されている。
【００６０】
コンテンツ選択手段５は、利用者が利用可能なコンテンツ１３１１を出力するとともに、利用者のコンテンツ選択操作を受け付けてコンテンツ選択通知１６０１を出力する。コンテンツ種別通知情報出力手段３は、コンテンツ選択通知１６０１に基づいてどのコンテンツが選択されたかを通知するコンテンツ種別通知情報３００１を出力する。コンテンツ再生手段６は、通知用コンテンツ１５１１の内容を復号してコンテンツ再生出力信号６００１を提示手段４へ出力する。
【００６１】
図１１は、本発明の実施の形態２における携帯電話端末１をさらに詳しく示した構成図である。図１１において携帯電話端末１は、本発明の実施の形態１の構成要素（図２）に加えて第１ＬＥＤ４０４、第２ＬＥＤ４０５、バイブレータ４１０を備える。
【００６２】
デバイス制御部４０２は、コンテンツ種別通知情報３００１を受け取り、第１ＬＥＤ４０４、第２ＬＥＤ４０５、およびバイブレータ４１０を駆動することにより、コンテンツ種別通知情報３００１を利用者に認知可能に提示する。またデバイス制御部４０２は、コンテンツ再生出力信号６００１を内蔵スピーカー４０７へ出力することにより、コンテンツ種別通知情報３００１を利用者に認知可能に提示する。
【００６３】
音楽再生アプリケーション５０１は操作信号５００１に基づいてコンテンツ選択通知１６０１を出力する。なお、十字キー５０２および音楽再生アプリケーション５０１が図１０におけるコンテンツ選択手段５を構成する構成要素に相当する。また、デバイス制御部４０２、第１ＬＥＤ４０４、第２ＬＥＤ４０５、内蔵スピーカー４０７、バイブレータ４１０が図１０の提示手段４を構成する構成要素に相当する。
【００６４】
図１２は、本発明の実施の形態２における通知用コンテンツ１５１１の例を説明する図である。図１２（ａ）は、通知用コンテンツ１５１１ａ（ファイル名「ｓｆｘ３ｄ．ｄａｔ」）のデータ構造を示す図である。通知用コンテンツ１５１１ａは、本発明の実施の形態１と同様の形式でファイルの識別子“ｍｉｄｉ”（Ｄ９００１）、タイトル「３Ｄ効果音」（Ｄ９００２）、ヘッダ部のサイズ（Ｄ９００３）、アーティスト名「クリエイタＸ」（Ｄ９００４）、特殊効果処理情報である三次元音響における仮想スピーカーの定義「＜ｖＳｐｋ  ｉｄ＝１  ｔｒｋ＝２／＞」を保持する。前記仮想スピーカーの定義は第２のトラック（ｔｒｋ＝２）に含まれる演奏音を第１の仮想スピーカー（ｉｄ＝１）から出力するように音源モジュール６０１に指示を出すためのものである。
【００６５】
図１２（ｂ）は、図１２（ａ）の領域Ｄ９１００が保持する演奏データの構造を模式的に示した図である。Ｄ９１００が保持する演奏データは、第１のトラック（ｔｒｋ＝１）Ｔ９１０１、第２のトラック（ｔｒｋ＝２）Ｔ９１０２の２個のトラックで構成される。第１のトラック（ｔｒｋ＝１）Ｔ９１０１は第１の仮想スピーカー（ｉｄ＝１）を右奥から左手前方向へ移動するための複数のＭＩＤＩメッセージＤ９１０１〜Ｄ９１０５で構成される。第２のトラック（ｔｒｋ＝２）Ｔ９１０２は第１の仮想スピーカー（ｉｄ＝１）へ略１秒間発音される演奏音を出力するためのＮｏｔｅＯｎメッセージＤ９２０１から成る。
【００６６】
図１３は、本発明の実施の形態２におけるコンテンツ種別通知情報出力手段３が保持しているコンテンツ種別通知情報テーブルＴ３０２の内容を示す図である。コンテンツ種別通知情報テーブルＴ３０２は、コンテンツ種別ＩＤ（Ｆ３１１、Ｆ３１２）ごとにコンテンツ種別通知内容（Ｆ３２１、Ｆ３２２）を格納した表形式のデータである。コンテンツ種別通知内容（Ｆ３２１、Ｆ３２２）中の左辺の文字列「ｓｏｕｎｄ」、「ＬＥＤ」、「ｖｉｂｒａｔｉｏｎ」は提示手段４を構成する構成要素を指定するものであり、それぞれ内蔵スピーカー４０７、ＬＥＤ４０４〜４０５、バイブレータ４１０に対応する。また、右辺の文字列「ＤＥＦＡＵＬＴ」、「ｏｆｆ」、「ｓｆｘ３ｄ．ｄａｔ」、「ａｌｔｅｒｎａｔｅ１」、「ｐａｔｔｅｒｎ１」は左辺の文字列で指定された構成要素の動作内容を指示するためのものである。
【００６７】
図１４は、本発明の実施の形態２における提示手段４の提示内容を説明する図である。以下、図６および図１２〜１４を用いて本発明の実施の形態２における携帯電話端末１の動作を説明する。なお、コンテンツ１３１１としては本発明の実施の形態１の説明に用いた第１のコンテンツ１３１１ａおよび第２のコンテンツ１３１１ｂ（図３）を、コンテンツ種別情報２００１としては本発明の実施の形態１の説明に用いたコンテンツ種別情報２００１ａ（図６）を用いて以下の説明を行う。
【００６８】
本発明の実施の形態２におけるコンテンツ種別判別手段２の動作は本発明の実施の形態１と同様であるので説明を省略する。
【００６９】
コンテンツ種別通知情報出力手段３は、コンテンツ種別情報２００１ａ（図６）を受け取ると、コンテンツ種別情報２００１ａの項目番号（Ｆ１１１、Ｆ１１２）ごとのコンテンツのタイトル「楽曲第１番」、「楽曲第２番」（Ｆ１４１、Ｆ１４２）を結合した文字列「“楽曲第１番”，“楽曲第２番”」をコンテンツ種別通知情報３００１として出力する。これを受けてデバイス制御部４０２はＬＣＤ４０６に文字列「楽曲第１番」、「楽曲第２番」を表示するよう指示すると、ＬＣＤ４０６は図１４（ａ）に示すように文字列「楽曲第１番」（Ｇ２０１）、「楽曲第２番」（Ｇ２０２）をリスト表示する。また、デバイス制御部４０２は初期状態としてコンテンツ種別情報２００１ａの最初の行、すなわち第１のコンテンツ１３１１ａに対応する文字列表示「楽曲第１番」（Ｇ２０１）の位置にフォーカスＧ２１０を表示するようＬＣＤ４０６に指示する。
【００７０】
ここで利用者が十字キー５０２を下方向に操作すると十字キー５０２が操作を検知して信号「ｄｏｗｎ」を操作信号５００１として出力する。音楽再生アプリケーション５０１は操作信号５００１を受け付け、第２のコンテンツ１３１１ｂが選択されたことを認識するとコンテンツ種別情報２００１ａの第２のコンテンツ１３１１ｂに対応する項目番号「２」（Ｆ１１２）をコンテンツ選択通知１６０１として出力する。
【００７１】
コンテンツ種別通知情報出力手段３は、コンテンツ選択通知１６０１を検出するとコンテンツ種別情報２００１ａを参照し、項目番号「２」（Ｆ１１２）に対応するコンテンツ種別ＩＤ「ＭＩＤＩ／３Ｄ」（Ｆ１３２）を得る。
【００７２】
次にコンテンツ種別通知情報出力手段３は、コンテンツ種別通知情報テーブルＴ３０２を参照し、コンテンツ種別ＩＤ「ＭＩＤＩ／３Ｄ」（Ｆ３１２）に対応するコンテンツ種別通知内容「ｓｏｕｎｄ＝ｓｆｘ３ｄ．ｄａｔ  ＬＥＤ＝ａｌｔｅｒｎａｔｅ１  ｖｉｂｒａｔｉｏｎ＝ｐａｔｔｅｒｎ１」（Ｆ３２２）を得て、項目番号「２」とともにコンテンツ種別通知情報３００１として出力する。
【００７３】
前記コンテンツ種別通知情報３００１を受け付けた際の提示手段４の動作は、図１４（ｂ）に示すとおりである。すなわち、デバイス制御部４０２がフォーカスＧ２１０を第２のコンテンツ１３１１ｂのタイトルを表す文字列表示「楽曲第２番」（Ｇ２０２）の位置に移動するよう指示し、「ａｌｔｅｒｎａｔｅ１」の指示に従って第１ＬＥＤ４０４および第２ＬＥＤ４０５を略1秒間交互に点滅させ、「ｐａｔｔｅｒｎ１」の指示に従ってバイブレータ４１０を略1秒間振動させるとともに、「ｓｆｘ３ｄ．ｄａｔ」が示すコンテンツ１５１１ａを通知用コンテンツ１５１１として音源モジュール６０１に出力してコンテンツ再生出力信号６００１を内蔵スピーカー４０７へ出力する。このとき再生される通知用コンテンツ１５１１ａは三次元音響の特殊効果を付与する特殊効果処理情報Ｄ９００５、Ｄ９１０１〜Ｄ９１０５を含んでいるため、利用者は再生音が右奥から左手前方向へ移動するように認知するので、選択した第２のコンテンツ１３１１ｂを再生すると三次元音響の特殊効果を伴って再生出力されるということを第２のコンテンツ１３１１ｂの再生に先立って直感的に知ることができる。
【００７４】
以上の説明から明らかなように、本発明の実施の形態２における携帯電話端末は、利用者がコンテンツを選択したときに、そのコンテンツの特殊効果の種別に対応する特殊効果処理情報を含む通知用コンテンツを認知可能に提示するので、利用者はコンテンツがどのような特殊効果を伴って再生されるのかをコンテンツの再生に先立って直感的に知ることができる。
【００７５】
（実施の形態３）
図１５は、本発明の実施の形態３における携帯電話端末１の概略構成図である。図１５において携帯電話端末１は、本発明の実施の形態１の構成要素（図１）、本発明の実施の形態２の構成要素（図１０）に加えて再生能力情報出力手段６９９を備える。また、コンテンツ種別通知情報出力手段３は、再生能力情報出力手段６９９の出力である再生能力情報６９０１に基づいてコンテンツ種別通知情報３００１を出力するよう構成されている。
【００７６】
再生能力情報出力手段６９９は、コンテンツ再生手段６の再生能力を示す再生能力情報６９０１を出力する。本発明の実施の形態３における「コンテンツ再生手段６の再生能力」とは、コンテンツ再生手段６を構成するＤＳＰが並列に処理できる仮想スピーカーの最大個数、前記ＤＳＰの最大入力信号数、コンテンツ再生手段６を構成する音源モジュールの最大同時発音数などを指す。
【００７７】
図１６は、本発明の実施の形態３における携帯電話端末１をさらに詳しく示した構成図である。図１６において携帯電話端末１は、本発明の実施の形態２の構成要素（図１０）に加えて再生能力情報出力手段６９９を備える。再生能力情報出力手段６９９は、音源モジュール６０１の再生能力を示す再生能力情報６９０１を出力する。また、内蔵メモリー７０１はコンテンツ１２１１に加えてコンテンツのファイル名、形式、タイトル、アーティスト名などの属性情報を格納したメタデータ１２２１を保持し、コンテンツ１２１１およびメタデータ１２２１を音楽再生アプリケーション５０１へ出力するよう構成されている。さらに、音楽再生アプリケーション５０１はメタデータ１２２１のうち、利用者が利用可能なコンテンツのメタデータ１３２１をコンテンツ種別判別手段２へ出力するよう構成されている。
【００７８】
図１７は、本発明の実施の形態３におけるメタデータ１３２１の例を説明する図である。図１７（ａ）は、第１のコンテンツ（ファイル名「ｃｏｎｔｅｎｔ１．ｄａｔ」）に対応する第１のメタデータ１３２１ａ（ファイル名「ｍｅｔａｄａｔａ１」）の内容を示す図である。メタデータ１３２１ａは、コンテンツのファイル名（ＦｉｌｅＮａｍｅ）が「ｃｏｎｔｅｎｔ１．ｄａｔ」、コンテンツの形式（ＦｉｌｅＴｙｐｅ）が「ＭＩＤＩ」、コンテンツのタイトル（Ｔｉｔｌｅ）が「楽曲第１番」、コンテンツのアーティスト（Ａｒｔｉｓｔ）が「クリエイタＡ」、コンテンツを構成するトラック数（ＮｕｍｂｅｒＯｆＴｒａｃｋｓ）が「３」であることを表している。
【００７９】
図１７（ｂ）の第２のメタデータ１３２１ｂ（ファイル名「ｍｅｔａｄａｔａ２」）および図１７（ｃ）の第３のメタデータ１３２１ｃ（ファイル名「ｍｅｔａｄａｔａ３」）のコンテンツの形式（ＦｉｌｅＴｙｐｅ）には「ＭＩＤＩ」に続いて特殊効果識別情報として三次元音響効果が付与されることを表す「３Ｄ」が、特殊効果処理情報として三次元音響における仮想スピーカーの個数（ＮｕｍｂｅｒＯｆＶｉｒｔｕａｌＳｐｅａｋｅｒｓ）が格納されている。当該特殊効果処理情報は、「ＦｉｌｅＮａｍｅ」で示されるコンテンツを音源モジュール６０１が再生する際に並列に処理すべき仮想スピーカーの個数を表すものである。すなわち、音源モジュール６０１は、第２のコンテンツ（ファイル名「ｃｏｎｔｅｎｔ２．ｄａｔ」）の再生時には１個の仮想スピーカーの処理を実行すればよく、第３のコンテンツ（ファイル名「ｃｏｎｔｅｎｔ３．ｄａｔ」）の再生時には２個の仮想スピーカーの処理を並行して実行する必要があることを表している。
【００８０】
図１８は、本発明の実施の形態３におけるコンテンツ種別判別手段２が図１７に示すメタデータ１３２１ａ、１３２１ｂ、１３２１ｃを入力としたときに出力するコンテンツ種別情報２００１ｂの内容を示す図である。コンテンツ種別情報２００１ｂは、本発明の実施の形態１および２におけるコンテンツ種別情報２００１ａが保持するフィールド「項目番号」、「コンテンツファイル名」、「コンテンツ種別ＩＤ」、「ｔｉｔｌｅ」に加えてフィールド「再生パラメータ」（Ｆ４５１〜Ｆ４５３）を保持する。
【００８１】
コンテンツ種別判別手段２は、音楽再生アプリケーション５０１から受け取ったメタデータ１３２１ごとに処理を実行する。この際、コンテンツ種別判別手段２は、メタデータ１３２１が保持するコンテンツの形式「ＦｉｌｅＴｙｐｅ」の値をコンテンツ種別ＩＤの値とする。この処理により、コンテンツ種別判別手段２は第１のメタデータに対応するコンテンツ種別ＩＤのフィールドＦ４３１に「ＭＩＤＩ」を、第２のメタデータに対応するコンテンツ種別ＩＤのフィールドＦ４３２、および第３のメタデータに対応するコンテンツ種別ＩＤのフィールドＦ４３３に「ＭＩＤＩ／３Ｄ」を格納する。
【００８２】
また、コンテンツ種別判別手段２は、メタデータ１３２１ａ、１３２１ｂ、１３２１ｃ中に記載されているコンテンツを構成するトラック数（ＮｕｍｂｅｒＯｆＴｒａｃｋｓ）および仮想スピーカーの個数（ＮｕｍｂｅｒＯｆＶｉｒｔｕａｌＳｐｅａｋｅｒｓ）の値を再生パラメータのフィールドＦ４５１〜Ｆ４５３にそれぞれ格納する。
【００８３】
コンテンツ種別判別手段２は、以上に述べた動作によって生成したコンテンツ種別情報２００１ｂをコンテンツ種別通知情報出力手段３へ出力する。
【００８４】
図１９は、本発明の実施の形態３における再生能力情報出力手段６９９が保持する再生能力情報テーブルの内容の例を示す図である。再生能力情報テーブルは、音源モジュール６０１の再生能力を示す情報を保持するテーブルであり、音源モジュールごとに保持される。
【００８５】
本発明の実施の形態３では図１９（ａ）が示す第１の再生能力情報テーブルＴ６０１、図１９（ｂ）が示す第２の再生能力情報テーブルＴ６０２の内容を説明する。なお、本発明の実施の形態３において、第１の再生能力情報テーブルＴ６０１が示す再生能力を持つ音源モジュール６０１を「第１の音源モジュール」、第２の再生能力情報テーブルＴ６０２が示す再生能力を持つ音源モジュール６０２を「第２の音源モジュール」と記載する。
【００８６】
図１９（ａ）に示す第１の再生能力情報テーブルＴ６０１は能力名のフィールドＦ５１１〜Ｆ５１３、および能力値のフィールドＦ５２１〜５２３で構成される。能力名「ＤｓｐＭａｘＮｕｍｂｅｒＯｆＶｉｒｔｕａｌＳｐｅａｋｅｒｓ」（Ｆ５１１）に対応する能力値「１」（Ｆ５２１）は、音源モジュール６０１が内蔵するＤＳＰが並行して処理できる仮想スピーカーの最大個数が１であることを示している。また再生能力情報テーブルＴ６０１は、ＤＳＰの最大入力信号数（Ｆ５１２、Ｆ５２２）、音源モジュール６０１の最大同時発音数（Ｆ５１３、Ｆ５２３）等の再生能力情報を保持する。一方、図１９（ｂ）に示す第２の再生能力情報テーブルＴ６０２はＤＳＰが並行して処理できる仮想スピーカーの最大個数（Ｆ６１１）が第１の再生能力情報テーブルＴ６０１と異なり、「２」（Ｆ６２１）となっている。
【００８７】
図２０は、本発明の実施の形態３におけるコンテンツ種別通知情報出力手段３が保持しているコンテンツ種別通知情報テーブルＴ３０３の内容を示す図である。コンテンツ種別通知情報テーブルＴ３０３は、本発明の実施の形態２におけるコンテンツ種別通知情報テーブルＴ３０２（図１３）が保持するフィールド「コンテンツ種別ＩＤ」、「コンテンツ種別通知内容」に加えてフィールド「再生能力」（Ｆ７２１〜Ｆ７２４）を保持している。「再生能力」フィールドの値（Ｆ７２１〜Ｆ７２４）は、音源モジュール６０１がコンテンツ再生のために充分な再生能力を備えている場合（「ＯＫ」）または備えていない場合（「Ｎ／Ａ」）を示している。
【００８８】
図２１は、本発明の実施の形態３におけるコンテンツ種別通知情報出力手段３がコンテンツ選択通知１６０１を受け取った際の処理手順を示すフローチャート図である。また図２２は、本発明の実施の形態３における提示手段４の提示内容を説明する図である。以下、図１８〜２０を用いて本発明の実施の形態３における携帯電話端末１の動作を説明する。
【００８９】
コンテンツ種別通知情報出力手段３がコンテンツ種別情報２００１ｂを受け取ってからＬＣＤ４０６にコンテンツのタイトル文字列とフォーカスを表示する処理は本発明の実施の形態２と同様であるので詳細な説明を省略し、表示結果だけを図２２（ａ）に示す。図２２（ａ）においてＬＣＤ４０６は第１〜第３のコンテンツのタイトルである文字列「楽曲第１番」（Ｇ３０１）、「楽曲第２番」（Ｇ３０２）、「楽曲第３番」（Ｇ３０３）、およびフォーカスＧ３１０を表示している。
【００９０】
ここで利用者が十字キー５０２を上方向に操作すると十字キー５０２が操作を検知して信号「ｕｐ」を操作信号５００１として出力する。音楽再生アプリケーション５０１は操作信号５００１を受け付け、第３のコンテンツが選択されたことを認識するとコンテンツ種別情報２００１ｂの第３コンテンツ（ファイル名「ｃｏｎｔｅｎｔ３．ｄａｔ」）に対応する項目番号「３」（Ｆ４１３）をコンテンツ選択通知１６０１として出力する。
【００９１】
コンテンツ種別通知情報出力手段３は、コンテンツ選択通知１６０１を検出すると図２１に示すフローチャートに従って処理を実行する。ステップＳ１０１においてコンテンツ種別通知情報出力手段３はコンテンツ選択通知１６０１に含まれる項目番号「３」を得る。ステップＳ１０２において、コンテンツ種別通知情報出力手段３はコンテンツ種別情報２００１ｂを参照し、項目番号「３」に対応するコンテンツ種別ＩＤ「ＭＩＤＩ／３Ｄ」（Ｆ４３３）を得る。
【００９２】
ステップＳ１０３において、コンテンツ種別通知情報出力手段３はコンテンツ種別情報２００１ｂを参照し、項目番号「３」に対応する再生パラメータ「ＮｕｍｂｅｒＯｆＴｒａｃｋｓ：３，ＮｕｍｂｅｒＯｆＶｉｒｔｕａｌＳｐｅａｋｅｒｓ：２」を得る。
【００９３】
ステップＳ１０４において、コンテンツ種別通知情報出力手段３は、再生パラメータに関連する再生能力情報６９０１を再生能力情報出力手段６９９から取得する。ここで再生能力情報出力手段６９９は、再生パラメータ「ＮｕｍｂｅｒＯｆＶｉｒｔｕａｌＳｐｅａｋｅｒｓ」（Ｆ４５３）に関連する再生能力情報６９０１として、能力名「ＤｓｐＭａｘＮｕｍｂｅｒＯｆＶｉｒｔｕａｌＳｐｅａｋｅｒｓ」（Ｆ５１１、Ｆ６１１）の能力名と能力値をコンテンツ種別通知情報出力手段３へ出力する。携帯電話端末１が第１の音源モジュールを備える場合には「ＤｓｐＭａｘＮｕｍｂｅｒＯｆＶｉｒｔｕａｌＳｐｅａｋｅｒｓ：１」を、第２の音源モジュールを備える場合には「ＤｓｐＭａｘＮｕｍｂｅｒＯｆＶｉｒｔｕａｌＳｐｅａｋｅｒｓ：２」をコンテンツ種別通知情報出力手段３が取得することになる。
【００９４】
ステップＳ１０５の判断において、携帯電話端末１が第１の音源モジュールを備える場合には第３のコンテンツの再生に必要となる仮想スピーカーの個数（ＮｕｍｂｅｒＯｆＶｉｒｔｕａｌＳｐｅａｋｅｒｓ）「２」がＤＳＰが並列処理可能な仮想スピーカーの個数（ＤｓｐＭａｘＮｕｍｂｅｒＯｆＶｉｒｔｕａｌＳｐｅａｋｅｒｓ）「１」を超えているので「ＹＥＳ」へ分岐してステップＳ１０６へ進み、再生能力の値が「Ｎ／Ａ」となる。一方、携帯電話端末１が第２の音源モジュールを備える場合には「ＮＯ」へ分岐してステップＳ１０７へ進み、再生能力の値が「ＯＫ」となる。
【００９５】
ステップＳ１０８において、コンテンツ種別通知情報出力手段３は、コンテンツ種別通知情報テーブルＴ３０３を参照し、コンテンツ種別ＩＤ「ＭＩＤＩ／３Ｄ」、およびステップＳ１０６またはＳ１０７で得た再生能力の値（「ＯＫ」または「Ｎ／Ａ」）に基づいてコンテンツ種別通知内容を得る。その結果、コンテンツ種別通知情報出力手段３は、形態電話端末１が第１の音源モジュールを備える場合には「ｓｏｕｎｄ＝ｓｔｅｒｅｏ．ｗａｖ  ＬＥＤ＝ｏｎ  ｖｉｂｒａｔｉｏｎ＝ｏｆｆ」（Ｆ７３４）を、第２の音源モジュールを備える場合には「ｓｏｕｎｄ＝ｓｆｘ３ｄ．ｗａｖ  ＬＥＤ＝ａｌｔｅｒｎａｔｅ１  ｖｉｂｒａｔｉｏｎ＝ｐａｔｔｅｒｎ１」（Ｆ７３３）をコンテンツ種別通知内容として得ることになる。ステップＳ１０９では、コンテンツ種別通知情報出力手段３は得られたコンテンツ種別通知内容（Ｆ７３３またはＦ７３４）をコンテンツ種別通知情報３００１として出力する。
【００９６】
携帯電話端末１が第１の音源モジュールを備える場合の提示手段４の提示内容を図２２（ｂ）に、第２の音源モジュールを備える場合の提示手段４の提示内容を図２２（ｃ）に示す。図２２（ｂ）においてはスピーカー４０７がステレオ定位された音（ファイル「ｓｔｅｒｅｏ．ｗａｖ」に略１秒間に相当する波形データとして格納されている音）を出力しているのに対し、図２２（ｃ）においてはスピーカー４０７が三次元音響効果を有する音（ファイル「ｓｆｘ３ｄ．ｗａｖ」に略１秒間に相当する波形データとして格納されている音）を出力している。また、図２２（ｂ）においてはバイブレータ４１０が振動していないのに対し、図２２（ｃ）においてはバイブレータ４１０が振動している。さらに、図２２（ｂ）においては第１ＬＥＤ４０４と第２ＬＥＤ４０５が点灯しているのに対し、図２２（ｃ）においては第１ＬＥＤ４０４と第２ＬＥＤ４０５が交互に点滅している。
【００９７】
すなわち、利用者がコンテンツの選択操作を行った際、コンテンツの再生に充分な能力を備える携帯電話端末の場合には三次元音響効果を有する音と振動とＬＥＤの点滅が提示手段４によって提示されるので、当該コンテンツの再生時には三次元音響の特殊効果を伴って再生出力されるということを利用者が直感的に知ることができる。一方、コンテンツの再生に充分な能力を備えない携帯電話端末において同様の選択操作を行った場合には、充分な能力を備えた携帯電話端末の場合と異なった提示が行われるので、利用者は当該コンテンツの再生時に特殊効果が充分に得られないということを当該コンテンツの再生に先立って知ることができる。
【００９８】
以上の説明から明らかなように、本発明の実施の形態３における携帯電話端末は、利用者がコンテンツを選択したときに、コンテンツ再生手段の能力を示す再生能力情報に基づいて特殊効果の種別の提示内容を決定するため、利用者がコンテンツがどのような特殊効果を伴って再生されるのかをコンテンツの再生に先立ってより正確に知ることができる。
【００９９】
（実施の形態４）
図２３は、本発明の実施の形態４における携帯電話端末１の概略構成図である。図２３において携帯電話端末１は、本発明の実施の形態１の構成要素（図１）に加えて提示手段種別情報出力手段４９９を備える。また、コンテンツ種別通知情報出力手段３は、提示手段種別情報出力手段４９９の出力である提示手段種別情報４９０１に基づいてコンテンツ種別通知情報３００１を出力するよう構成されている。
【０１００】
提示手段種別情報出力手段４９９は、提示手段４の種別を示す提示手段種別情報４９０１を出力する。
【０１０１】
図２４は、本発明の実施の形態４における携帯電話端末１をさらに詳しく示した構成図である。図２４において携帯電話端末１は、本発明の実施の形態１の構成要素（図２）に加えて提示手段種別情報出力手段４９９を備える。また、携帯電話端末１は、ヘッドホンジャック４０３を備え、利用者が外部出力デバイスであるステレオヘッドホン４０８またはモノラルヘッドホン４０９を携帯電話端末１に接続することによりコンテンツ再生出力信号６００１の出力先を内蔵スピーカー４０７から外部出力デバイスに切り替えることができるようになっている。
【０１０２】
提示手段種別情報出力手段４９９はデバイス制御部４０２に入力されるコンテンツ再生出力信号６００１を出力する出力デバイス（内蔵スピーカー４０７、ステレオヘッドホン４０８、モノラルヘッドホン４０９のいずれか）の種別（「内蔵スピーカー」または「ステレオヘッドホン」または「モノラルヘッドホン」）を提示手段種別情報４９０１として出力する。
【０１０３】
図２５は、本発明の実施の形態４におけるコンテンツ種別情報２００１の内容を示す図である。
【０１０４】
図２６は、本発明の実施の形態４におけるコンテンツ種別通知情報出力手段３が保持する提示手段能力情報テーブルＴ４０１の内容を示す図である。提示手段能力情報テーブルＴ４０１は、提示手段種別情報４９０１が示す出力デバイス（内蔵スピーカー４０７、ステレオヘッドホン４０８、モノラルヘッドホン４０９のいずれか）の提示能力を保持するテーブルである。提示能力名「ＮｕｍｂｅｒＯｆＳｐｅａｋｅｒｓ」（Ｆ８１１）を先頭とする行が保持する提示能力値（Ｆ８２１、Ｆ８３１、Ｆ８４１）は、出力デバイスが備えるスピーカーの個数を表している。また、提示能力名「ＡｃｔｉｖｅＷｈｉｌｅＶｉｂｒａｔｉｏｎＭｏｄｅ」（Ｆ８１２）を先頭とする行が保持する提示能力値（Ｆ８２２，Ｆ８３２，Ｆ８４２）は、マナーモードにおいてコンテンツ再生出力信号６００１が出力デバイスに出力される（「ＹＥＳ」）か出力されない（「ＮＯ」）かを表している。
【０１０５】
図２７は、本発明の実施の形態４におけるコンテンツ種別通知情報出力手段３が保持しているコンテンツ種別通知情報テーブルＴ３０４の内容を示す図である。コンテンツ種別通知情報テーブルＴ３０４は、本発明の実施の形態１におけるコンテンツ種別通知情報テーブルＴ３０１（図７）が保持するフィールド「コンテンツ種別ＩＤ」、「コンテンツ種別通知情報テンプレート」に加えてフィールド「提示能力」（Ｆ９２１〜Ｆ９２４）を保持する。「提示能力」フィールドの値（Ｆ９２１〜Ｆ９２４）は、コンテンツ再生出力信号６００１の出力先である出力デバイス（内蔵スピーカー４０７、ステレオヘッドホン４０８、モノラルヘッドホン４０９のいずれか）がコンテンツ再生出力信号の提示のために充分な提示能力を備えている（「ＯＫ」）または備えていない（「Ｎ／Ａ」）ことを示している。
【０１０６】
図２８は、本発明の実施の形態４におけるコンテンツ種別通知情報出力手段３がコンテンツ種別情報２００１を受け取った際の処理手順を示すフローチャート図である。図２９は、本発明の実施の形態４におけるコンテンツ種別通知情報３００１の内容を示す図である。
【０１０７】
以下、図１７および図２５〜図２９を用いて本発明の実施の形態４における携帯電話端末１の動作を説明する。なお、コンテンツ種別判別手段には本発明の実施の形態３におけるメタデータ１３２１ａ、１３２１ｂ、１３２１ｃ（図１７）が入力されるものとして説明を行う。
【０１０８】
コンテンツ種別判別手段２が図１７に示すメタデータ１３２１ａ、１３２１ｂ、１３２１ｃから図２５のコンテンツ種別情報２００１ｃを生成する際、「項目番号」（Ｆ１０１１〜Ｆ１０１３）、「コンテンツファイル名」（Ｆ１０２１〜Ｆ１０２３）、「コンテンツ種別ＩＤ」（Ｆ１０３１〜１０３３）、「ｔｉｔｌｅ」（Ｆ１０４１〜Ｆ１０４３）の各フィールドを生成する処理は、本発明の実施の形態３と同じなので説明を省略する。
【０１０９】
続いてコンテンツ種別判別手段２はメタデータ１３２１ａ、１３２１ｂ、１３２１ｃからフィールド「提示パラメータ」（Ｆ１０５１〜Ｆ１０５３）を生成する処理を行う。コンテンツ種別判別手段２は、第２のメタデータ１３２１ｂおよび第３のメタデータ１３２１ｃについては、メタデータ中に仮想スピーカーの個数（ＮｕｍｂｅｒＯｆＶｉｒｔｕａｌＳｐｅａｋｅｒｓ）の記述が特殊効果処理情報として存在するので、再生時出力信号６００１を出力するスピーカーの個数が２でなければ特殊効果が得られないと判断し、再生に必要なスピーカーの個数を表す提示パラメータ「ＮｕｍｂｅｒＯｆＳｐｅａｋｅｒｓ」の値（右辺）を「２」とする（Ｆ１０５２、Ｆ１０５３）。一方、第１のメタデータ１３２１ａには仮想スピーカーの個数を指示する特殊効果処理情報が存在しないため、モノラル再生であってもよいと判断し、提示パラメータ「ＮｕｍｂｅｒＯｆＳｐｅａｋｅｒｓ」の値を「１」とする（Ｆ１０５１）。
【０１１０】
コンテンツ種別判別手段２は、以上に述べた動作によって生成したコンテンツ種別情報２００１ｃをコンテンツ種別通知情報出力手段３へ出力する。
【０１１１】
ここで、ヘッドホンジャック４０３にステレオヘッドホン４０８が接続されているとしてコンテンツ種別通知情報出力手段３における処理を説明する。
【０１１２】
コンテンツ種別通知情報出力手段３は、コンテンツ種別情報２００１ｃを受け取ると、図２８に示すフローチャートの処理を開始する。まず、コンテンツ種別通知情報出力手段３は、コンテンツ種別情報２００１ｃの項目番号「１」（Ｆ１０１１）の処理を実行する。ステップＳ２０１の判断では「ＮＯ」へ進み、ステップＳ２０２においてコンテンツ種別ＩＤ「ＭＩＤＩ」（Ｆ１０３１）と提示パラメータ「ＮｕｍｂｅｒＯｆＳｐｅａｋｅｒｓ：１」（Ｆ１０５１）を得る。
【０１１３】
ステップＳ２０３において提示手段種別情報出力手段４９９は、アクティブな提示手段、すなわちコンテンツ再生出力信号６００１を出力する出力デバイスがステレオヘッドホン４０８であるので、提示手段種別情報４９０１として「ステレオヘッドホン」を出力する。
【０１１４】
ステップＳ２０４においてコンテンツ種別通知情報出力手段３は、提示手段能力情報テーブルＴ４０１を参照し、「ステレオヘッドホン」の２個の提示能力名と提示能力値のペア「ＮｕｍｂｅｒＯｆＳｐｅａｋｅｒｓ：２，ＡｃｔｉｖｅＷｈｉｌｔｅＶｉｂｒａｔｉｏｎＭｏｄｅ：ＹＥＳ」を得る。
【０１１５】
ステップＳ２０５の判断において、提示パラメータ「ＮｕｍｂｅｒＯｆＳｐｅａｋｅｒｓ」の値「１」が提示能力名「ＮｕｍｂｅｒＯｆＳｐｅａｋｅｒｓ」に対応する提示能力値「２」を超えていないので「ＮＯ」へ進む。Ｓ２０７では提示能力が「ＯＫ」であることを保持しておく。
【０１１６】
ステップＳ２０８においてコンテンツ種別通知情報出力手段３は、コンテンツ種別通知情報テーブルＴ３０４を参照し、コンテンツ種別ＩＤが「ＭＩＤＩ」、提示能力が「ＯＫ」であることからコンテンツ種別通知情報テンプレート「＜ｉｍｇ  ｓｒｃ＝“ｍｉｄｉ．ｇｉｆ”＞＄Ｔｉｔｌｅ＄」（Ｆ９３１）を得る。
【０１１７】
ステップＳ２０９においてコンテンツ種別通知情報出力手段３は、コンテンツ種別情報２００１ｃに記載されているｔｉｔｌｅフィールドの値「楽曲第１番」（Ｆ１０４１）をコンテンツ種別通知情報テンプレートＦ９３１の変数「＄Ｔｉｔｌｅ＄」の部分に埋め込むことにより、図２９（ａ）に示すコンテンツ種別通知情報３００１ｂの第１行「＜ｉｍｇ  ｓｒｃ＝“ｍｉｄｉ．ｇｉｆ”＞楽曲第１番＜ｂｒ＞」を得る。
【０１１８】
コンテンツ種別通知情報出力手段３は、コンテンツ種別情報２００１ｃの項目番号「２」（Ｆ１０１２）および項目番号「３」（Ｆ１０１３）についても同様の処理を行い、図２９（ａ）に示すコンテンツ種別通知情報３００１ｂを得る。最後にステップＳ２０１の判断で「ＹＥＳ」へ進み、ステップＳ２９９においてコンテンツ種別通知情報３００１ｂを出力する。
【０１１９】
ヘッドホンジャック４０３にモノラルヘッドホン４０９が接続されている場合も同様に処理が実行されるが、コンテンツ種別情報２００１ｃの項目番号「２」（Ｆ１０１２）および項目番号「３」（Ｆ１０１３）の処理においてステップＳ２０５の判断でいずれも「ＹＥＳ」へ進むため、ステレオヘッドホン４０８の場合と異なり、コンテンツ種別通知情報３００１として図２９（ｂ）に示すコンテンツ種別通知情報３００１ｃが出力されることになる。
【０１２０】
図３０は、本発明の実施の形態４における提示手段４の提示内容を説明する図である。図３０（ａ）はヘッドホンジャック４０３にステレオヘッドホン４０８が接続されている場合の、提示手段４の提示内容であり、図３０（ｂ）はモノラルヘッドホン４０９が接続されている場合の提示内容である。
【０１２１】
ヘッドホンジャック４０３にステレオヘッドホン４０８が接続されている場合、第２のメタデータ１３２１ｂ、第３のメタデータ１３２１ｃにそれぞれ対応するアイコンＧ４０２、Ｇ４０３はアニメーション画像「ｍｉｄｉ−３ｄ．ｇｉｆ」を可視化したものが提示されるのに対して、モノラルヘッドホン４０９が接続されている場合は、色、形状、サイズが「ｍｉｄｉ−３ｄ．ｇｉｆ」と異なる静止画像「ｍｉｄｉ−３ｄ＿ｎｏａｎｉｍａｔｉｏｎ．ｇｉｆ」を可視化したものがアイコンＧ４０７、Ｇ４０８として提示される。また、文字列表示についても、ステレオヘッドホン４０８が接続された場合（Ｇ４０５、Ｇ４０６）とモノラルヘッドホン４０９が接続された場合（Ｇ４０９、Ｇ４１０）とでフォント、サイズ、色、点滅の有無、表示位置が異なっている。
【０１２２】
すなわち、三次元音響効果を含むコンテンツの提示に充分な能力を備えない出力デバイスであるモノラルヘッドホン４０９をヘッドホンジャック４０３に接続した場合には、充分な能力を備える出力デバイスであるステレオヘッドホン４０８を接続した場合のコンテンツ情報の提示内容と異なる提示が行われるので、利用者は当該コンテンツの再生時に特殊効果が充分に得られないということを当該コンテンツの再生に先立って知ることができる。
【０１２３】
以上の説明から明らかなように、本発明の実施の形態４における携帯電話端末は、提示手段の種別に基づいて特殊効果の種別の提示内容を決定するため、利用者がコンテンツがどのような特殊効果を伴って再生されるのかをコンテンツの再生に先立ってより正確に知ることができる。
【０１２４】
なお、本発明の実施の形態１ないし４において、コンテンツ再生出力信号は音信号であるとしたが、これに限るものではなく、画像信号を含んだものであってもよい。
【０１２５】
なお、本発明の実施の形態１ないし４において、特殊効果は三次元音響効果であるとしたが、これに限るものではなく、音信号に付与する特殊効果としては、サラウンドやステレオ強調等で音像定位を変換する効果であってもよいし、ディレイやエコー等の残響効果であってもよいし、フランジャーやフェイザーやコーラスであってもよい。
【０１２６】
また、音信号に付与する特殊効果として、ＬＰＦやＢＰＦやＨＰＦ等のフィルタやグラフィックイコライザやパラメトリックイコライザ等によって周波数特性を変更する効果であってもよいし、フィルタのカットオフ周波数付近のゲインを持ち上げるレゾナンス効果であってもよいし、ピッチ変換や声質変換や話速変換等の効果であってもよいし、コンプレッサやエクスパンダやリミッタを用いてゲインを変更する効果であってもよい。
【０１２７】
また、音信号に付与する特殊効果として、フェードインやフェードアウト等の切替え効果であってもよいし、ファズやディストーション等の波形の非線形変換を含む効果であってもよいし、他の信号と重畳する効果であってもよいし、トレモロやビブラート等の変調効果であってもよいし、信号の一部をサンプリングして繰返し再生する効果であってもよいし、以上の特殊効果を組み合わせた特殊効果であってもよい。
【０１２８】
また、画像信号に付与する効果としては、フェードやディゾルブやワイプや押し出し等のシーン切替え時の効果であってもよいし、コントラストや明度や色相等を変換する画質変換効果であってもよい。
【０１２９】
また、画像信号に付与する効果として、アスペクト比変換やアフィン変換や三次元形状へのマッピング等による画像変形効果であってもよいし、ストロボ効果等のフレームレート変換による効果であってもよいし、立体視表示を含む効果であってもよいし、スローモーションやコマ落とし等の時間軸変換による効果であってもよい。
【０１３０】
また、画像信号に付与する効果として、コラージュ等の複数の信号を空間的に再配置する効果であってもよいし、オーバーレイ等他の信号と重畳する効果であってもよいし、信号の一部をサンプリングして繰返し再生する効果であってもよいし、以上の特殊効果を組み合わせた特殊効果であってもよい。
【０１３１】
なお、本発明の実施の形態１ないし４において、コンテンツおよび通知用コンテンツはＭＩＤＩ形式のデータであるとしたが、これに限るものではなく、特殊効果の付与が可能なコンテンツであれば何でもよく、ＭＩＤＩ形式を拡張した形式のデータであってもよい。また、コンテンツおよび通知用コンテンツは、ＰＣＭ、ＡＤＰＣＭ、ＡＡＣ、ＡＴＲＡＣ、ＡＴＲＡＣ３、ＭＰ３、ＡＭＲ、ＡＶＩ、ＷＭＶ、ＷＭＡ、ＲＭ、ＲＡＭ、ＭＯＶ、μ−ＬＡＷ、Ａ−ＬＡＷ、ＡＩＦＦ、ＭＰＥＧ１、ＭＰＥＧ２、ＭＰＥＧ４、Ｈ２６３、Ｈ２６４、ＭＰ４、ＧＩＦ、ＨＴＭＬ、ＸＭＬ、またはそれらを拡張した形式であってもよいし、ゲームコンテンツや教材コンテンツであってもよいし、その他の形式のコンテンツであってもよい。
【０１３２】
なお、本発明の実施の形態３ないし４において、属性情報を保持するメタデータは図１７に示す形式であるとしたが、これに限るものではなく、特殊効果処理情報の有無または種別、再生パラメータの有無または種別、提示パラメータの有無または種別、のうちのいずれかを示す、あるいは導出可能とする情報を含むものであればどのような形式であってもよい。
【０１３３】
なお、本発明の実施の形態１ないし４において、提示手段はＬＥＤ、ＬＣＤ、内蔵スピーカー、ステレオヘッドホン、モノラルヘッドホン、バイブレータであるとしたが、これに限るものではなく、認知可能に提示する機能を備えるものであれば何でもよく、フラッシュランプでもよいし、光電管、液晶、有機ＥＬ、プラズマ、電子紛流体等を用いた表示手段でもよいし、イヤホン、骨伝導スピーカー、外部スピーカー等の音出力手段でもよいし、筐体の一部を変形または変位させるアクチュエータであってもよい。
【０１３４】
なお、本発明の実施の形態１および４において、認知可能な提示はアニメーションと静止画との違い、文字列表示のフォントやサイズや色や点滅状態や表示位置の変化によるとしたが、これに限るものではなく、画像または文字列表示の明度やコントラストや透明度を変化させるものであってもよい。
【０１３５】
なお、本発明の実施の形態２および３において、認知可能な提示はＬＥＤの点滅／消灯または点灯／点滅、音出力における三次元音響効果の有無、振動の有無によるものとしたが、これに限るものではなく、選択操作時に選択表示部分またはそれ以外の部分の表示を変化させてもよいし、音出力の音量や音質や周波数や内容を変化させてもよいし、振動のパターンを変化させてもよい。
【０１３６】
なお、本発明の実施の形態２ないし３において、コンテンツ種別通知情報出力手段がコンテンツ選択通知を受け付ける構成としたが、コンテンツを選択したときに提示手段がコンテンツ種別通知情報を提示する構成であればどのような構成であってもよく、コンテンツ種別判別手段がコンテンツ選択通知を受け付けてコンテンツ種別情報を出力する構成であっても、提示手段がコンテンツ選択通知を受け付けてコンテンツ種別通知情報を認知可能に提示する構成であってもよい。
【０１３７】
なお、本発明の実施の形態１ないし２において、コンテンツ種別判別手段は仮想スピーカーの定義の記述に基づいてコンテンツ種別を判別するとしたが、これに限るものではなく、コンテンツ種別を導出可能な情報であれば何でもよく、仮想スピーカーの定義以外の記述に基づいて判別してもよいし、特殊効果識別情報や、特殊情報の有無を示すフラグ等に基づいて判別してもよい。
【０１３８】
なお、本発明の実施の形態１ないし４において、コンテンツ種別情報は図６、図１８、図２５に示す形式であるとしたが、これに限るものではなく、コンテンツと、コンテンツ種別または再生パラメータまたは提示パラメータと、が対応付けられていればどのような形式であってもよい。
【０１３９】
なお、本発明の実施の形態１ないし４において、コンテンツ種別通知情報出力手段は図７、図２０、図２７に示すコンテンツ種別通知情報テーブルに基づいてコンテンツ種別通知情報を生成するとしたが、これに限るものではなく、コンテンツ種別情報または再生能力または提示能力または提示手段種別情報に基づいてコンテンツ種別通知情報を生成することができればどのような方法であってもよい。
【０１４０】
なお、本発明の実施の形態３において、再生能力情報は並行して処理できる仮想スピーカーの個数、最大入力信号数、最大同時発音数であるとしたが、これに限るものではなく、特殊効果の付与に関する能力や性能に関する情報であれば何でもよく、信号の同時処理数や連続処理回数や連続処理時間や処理速度や処理に要する時間であってもよいし、サンプリングレート等、処理可能なコンテンツの属性を限定する情報であってもよいし、特殊効果パラメータの許容範囲を示す情報であってもよいし、これらを導出可能な情報であってもよい。
【０１４１】
なお、本発明の実施の形態３において、再生能力情報出力手段は図１９に示す再生能力情報テーブルに基づいて再生能力情報を出力するとしたが、これに限るものではなく、再生パラメータに対応する再生能力情報を出力することができれば再生能力情報テーブルはどのような形式であってもよいし、再生能力情報テーブルを用いない方法であってもよい。
【０１４２】
なお、本発明の実施の形態４において、提示能力は出力デバイスが備えるスピーカーの個数、マナーモードにおける再生出力の有無であるとしたが、これに限るものではなく、特殊効果を有効に提示できるかどうかに関わる能力情報であれば何でもよく、たとえば表示デバイスのサイズや色再現性や表示速度性能であってもよいし、音出力デバイスの周波数特性やＳ／Ｎ比や許容入力強度やスピーカー配置であってもよいし、これらを導出可能な情報であってもよい。
【０１４３】
なお、本発明の実施の形態１ないし４において、コンテンツ種別通知情報はＨＴＭＬで記述された文字列等であるとしたが、これに限るものではなく、認知可能な提示へ変換可能な情報を含んでいればどのような形式であってもよく、たとえば表示または音または振動の強さを変化させるための電圧であってもよい。
【０１４４】
なお、本発明の実施の形態２および３において、コンテンツ種別を認知可能に提示するための再生用コンテンツまたは波形データは略１秒間分のデータであるとしたが、これに限るものではなく、特殊効果を認知できるものであれば長さは０．５秒であっても２秒であってもよいが、選択操作または音出力開始から遅くとも１秒後以前に特殊効果が付与された信号が出力されるデータであれば好適に実施できる。
【０１４５】
なお、本発明のコンテンツ情報提示装置は、本発明の実施の形態１ないし４において、携帯電話端末を例にして説明したが、これに限るものではなく、ＰＤＡ、パーソナルコンピュータ、街頭や店舗などに設置される情報端末（キオスク端末）、ウエアラブルコンピューター、カーナビゲーション端末等の情報端末、半導体プレーヤー、ハードディスク内蔵の音楽プレーヤーや映像コンテンツのプレーヤー、ＤＶＤプレーヤー、ＭＩＤＩデータを再生するプレーヤー等の映像音響機器であってもよい。
【産業上の利用可能性】
【０１４６】
本発明のコンテンツ情報提示装置は、コンテンツがどのような特殊効果を伴って再生されるのかをコンテンツの再生に先立って知ることができるという効果を有し、コンテンツを再生する機能を有する情報端末や映像音響機器、コンテンツの情報を利用者に提供する情報機器に有用である。
【図面の簡単な説明】
【０１４７】
【図１】本発明の実施の形態１における携帯電話端末の簡略構成図
【図２】本発明の実施の形態１における携帯電話端末の詳細構成図
【図３】（ａ）本発明の実施の形態１ないし４における第１のコンテンツのデータ内容を説明する図（ｂ）本発明の実施の形態１ないし４における第１のコンテンツの論理構造を説明する図
【図４】（ａ）本発明の実施の形態１ないし４における第２のコンテンツのデータ内容を説明する図（ｂ）本発明の実施の形態１ないし４における第２のコンテンツの論理構造を説明する図
【図５】本発明の実施の形態１におけるコンテンツ種別判別手段の処理手順を示すフローチャート
【図６】本発明の実施の形態１におけるコンテンツ種別情報の内容を説明する図
【図７】本発明の実施の形態１におけるコンテンツ種別通知情報テーブルの内容を説明する図
【図８】本発明の実施の形態１におけるコンテンツ種別通知情報の内容を説明する図
【図９】（ａ）本発明の実施の形態１における提示手段の提示内容を説明する第１の図（ｂ）本発明の実施の形態１における提示手段の提示内容を説明する第２の図
【図１０】本発明の実施の形態２における携帯電話端末の簡略構成図
【図１１】本発明の実施の形態２における携帯電話端末の詳細構成図
【図１２】（ａ）本発明の実施の形態２における通知用コンテンツのデータ内容を説明する図（ｂ）本発明の実施の形態２における通知用コンテンツの論理構造を説明する図
【図１３】本発明の実施の形態２におけるコンテンツ種別通知情報テーブルの内容を説明する図
【図１４】（ａ）本発明の実施の形態２における提示手段の提示内容を説明する第１の図（ｂ）本発明の実施の形態２における提示手段の提示内容を説明する第２の図
【図１５】本発明の実施の形態３における携帯電話端末の簡略構成図
【図１６】本発明の実施の形態３における携帯電話端末の詳細構成図
【図１７】（ａ）本発明の実施の形態３ないし４における第１のメタデータの内容を説明する図（ｂ）本発明の実施の形態３ないし４における第２のメタデータの内容を説明する図（ｃ）本発明の実施の形態３ないし４における第３のメタデータの内容を説明する図
【図１８】本発明の実施の形態３におけるコンテンツ種別情報の内容を説明する図
【図１９】（ａ）本発明の実施の形態３における第１の再生能力情報テーブルの内容を説明する図（ｂ）本発明の実施の形態３における第２の再生能力情報テーブルの内容を説明する図
【図２０】本発明の実施の形態３におけるコンテンツ種別情報テーブルの内容を説明する図
【図２１】本発明の実施の形態３におけるコンテンツ種別通知情報出力手段の処理手順を示すフローチャート
【図２２】（ａ）本発明の実施の形態３における提示手段の提示内容を説明する第１の図（ｂ）本発明の実施の形態３における提示手段の提示内容を説明する第２の図（ｃ）本発明の実施の形態３における提示手段の提示内容を説明する第３の図
【図２３】本発明の実施の形態４における携帯電話端末の簡略構成図
【図２４】本発明の実施の形態４における携帯電話端末の詳細構成図
【図２５】本発明の実施の形態４におけるコンテンツ種別情報の内容を説明する図
【図２６】本発明の実施の形態４における提示手段能力情報テーブルの内容を説明する図
【図２７】本発明の実施の形態４におけるコンテンツ種別通知情報テーブルの内容を説明する図
【図２８】本発明の実施の形態４におけるコンテンツ種別通知情報出力手段の処理手順を示すフローチャート
【図２９】（ａ）本発明の実施の形態４における種別通知情報の内容を説明する第１の図（ｂ）本発明の実施の形態４における種別通知情報の内容を説明する第２の図
【図３０】（ａ）本発明の実施の形態４における提示手段の提示内容を説明する第１の図（ｂ）本発明の実施の形態４における提示手段の提示内容を説明する第２の図
【符号の説明】
【０１４８】
１  携帯電話端末
１２１１，１３１１，１４１１  コンテンツ
１２２１，１３２１  メタデータ
１３１１ａ  第１のコンテンツ
１３１１ｂ  第２のコンテンツ
１３２１ａ  第１のメタデータ
１３２１ｂ  第２のメタデータ
１３２１ｃ  第３のメタデータ
１５１１，１５１１ａ  通知用コンテンツ
１６０１  コンテンツ選択通知
２  コンテンツ種別判別手段
２００１，２００１ａ，２００１ｂ，２００１ｃ  コンテンツ種別情報
３  コンテンツ種別通知情報出力手段
３００１，３００１ａ，３００１ｂ，３００１ｃ  コンテンツ種別通知情報
４  提示手段
４０２  デバイス制御部
４０３  ヘッドホンジャック
４０４  第１ＬＥＤ
４０５  第２ＬＥＤ
４０６  ＬＣＤ
４０７  内蔵スピーカー
４０８  ステレオヘッドホン
４０９  モノラルヘッドホン
４９９  提示手段種別情報出力手段
４９０１  提示手段種別情報
５０１  音楽再生アプリケーション
５０２  十字キー
５００１  操作信号
６  コンテンツ再生手段
６０１  音源モジュール
６９９  再生能力情報出力手段
６００１  コンテンツ再生出力信号
６９０１  再生能力情報
７０１  内蔵メモリー
Ｔ３０１，Ｔ３０２，Ｔ３０３，Ｔ３０４  コンテンツ種別通知情報テーブル
Ｔ４０１  提示手段能力情報テーブル
Ｔ６０１，Ｔ６０２  再生能力情報テーブル
【図１】
2007033506.tif 000003
【図２】
2007033506.tif 000004
【図３】
2007033506.tif 000005
【図４】
2007033506.tif 000006
【図５】
2007033506.tif 000007
【図６】
2007033506.tif 000008
【図７】
2007033506.tif 000009
【図８】
2007033506.tif 000010
【図９】
2007033506.tif 000011
【図１０】
2007033506.tif 000012
【図１１】
2007033506.tif 000013
【図１２】
2007033506.tif 000014
【図１３】
2007033506.tif 000015
【図１４】
2007033506.tif 000016
【図１５】
2007033506.tif 000017
【図１６】
2007033506.tif 000018
【図１７】
2007033506.tif 000019
【図１８】
2007033506.tif 000020
【図１９】
2007033506.tif 000021
【図２０】
2007033506.tif 000022
【図２１】
2007033506.tif 000023
【図２２】
2007033506.tif 000024
【図２３】
2007033506.tif 000025
【図２４】
2007033506.tif 000026
【図２５】
2007033506.tif 000027
【図２６】
2007033506.tif 000028
【図２７】
2007033506.tif 000029
【図２８】
2007033506.tif 000030
【図２９】
2007033506.tif 000031
【図３０】
2007033506.tif 000032